【手続補正書】
【提出日】平成28年10月25日(2016.10.25)
【手続補正１】
【補正対象書類名】特許請求の範囲
【補正対象項目名】全文
【補正方法】変更
【補正の内容】
【特許請求の範囲】
【請求項１】
骨の内部に経路を形成するシステムであって、
近位端、遠位端及び中央チャネルを有する導入器であって、
前記中央チャネルは、該導入器の中心軸に沿って配設され、前記近位端から前記遠位端に向かって延在し、
該導入器は、該導入器の前記遠位端にあるか又は該遠位端の近くにある遠位開口部を備え、該遠位開口部は前記中央チャネルと連通状態にあり、
該導入器は、皮質骨領域を通して椎体の海綿骨領域内に展開するように構成される、
導入器と、
前記中央チャネル内に受け入れられ、前記近位端から前記遠位開口部に向けて送達されるサイズに作られた湾曲カニューレであって、
該湾曲カニューレは、前記導入器から離れるように延在する湾曲経路内で前記遠位開口部から延在するように構成される湾曲遠位端を備え、
前記湾曲経路は、前記椎体の前記海綿骨領域の少なくとも一部分を通して生成され、
該湾曲カニューレは、中央通路であって、処置デバイスが該中央通路を通って送達されることを可能にするように構成される直径を有する中央通路を備える、
湾曲カニューレと、
前記中央通路を通して前記湾曲経路にあるか又は該湾曲経路を超える位置に送達されるように構成される処置デバイスと、
を備え、
前記導入器の前記近位端は、ハンドルを備え、
該ハンドルは、
近位リセスであって、
該近位リセスは、前記中央チャネル内での前記湾曲カニューレの往復動を可能にするように前記中央チャネルと連通状態にある、
近位リセスと、
前記近位リセスと連通状態にある横スロットであって、前記ハンドルの近位表面において前記近位リセスから半径方向外向きに延在し、
該横スロットは、前記湾曲カニューレの挿入を可能にするように構成され、それにより、前記湾曲カニューレの前記湾曲遠位端が前記近位リセスに挿入されると、前記直線状管状本体の中心軸が前記導入器の前記中心軸に対して或る角度になる、
横スロットと、
を備える、
骨の内部に経路を形成するシステム。
【請求項２】
前記湾曲カニューレの前記遠位端は、前記導入器を通して直線状構成で送達され、前記中心軸に対して或る角度で前記遠位開口部から外向きに湾曲構成で展開されるように変形可能である、
請求項１に記載のシステム。
【請求項３】
前記横スロットは、前記湾曲カニューレを直線化することなく、前記湾曲カニューレの前記湾曲遠位端が前記近位リセス及び前記中央チャネルに入るように摺動可能に前進させられることを可能にするように構成される曲線下部表面を備える、
請求項１に記載のシステム。
【請求項４】
前記曲線下部表面は、前記湾曲カニューレの前記湾曲遠位端のアールに実質的に一致するアールを備え、該アールを備えることにより、前記湾曲遠位端が前記近位リセス及び前記中央チャネル内を前進させられる間に、前記湾曲遠位端に沿って負荷を均等に分布することを促進する、
請求項３に記載のシステム。
【請求項５】
直線状近位本体及び予成形湾曲遠位端を備える湾曲スタイレットを更に備え、
前記湾曲カニューレは、前記位置への前記処置デバイスの送達を可能にするように構成されるカニューレチャネルを備える、
請求項１から４のいずれか１項に記載のシステム。
【請求項６】
前記湾曲カニューレの前記近位端はカニューレハンドルを備え、
該カニューレハンドルは、
中央リセスであって、
該中央リセスは、前記カニューレチャネル内での前記湾曲スタイレットの往復動を可能にするように前記カニューレチャネルと連通状態にある、
中央リセスと、
前記中央リセスと連通状態にある横カニューレスロットであって、前記カニューレハンドルの近位表面において前記中央リセスから半径方向外向きに延在し、
該横カニューレスロットは、前記湾曲スタイレットの挿入を可能にするように構成され、それにより、前記湾曲スタイレットの前記予成形湾曲遠位端が前記中央リセスに挿入されると、前記直線状近位本体の中心軸が前記カニューレチャネルの中心軸に対して或る角度になる、
横カニューレスロットと、
を備える、
請求項５に記載のシステム。
【請求項７】
前記横カニューレスロットは、前記湾曲スタイレットの前記予成形湾曲遠位端が前記中央リセス及び前記カニューレチャネルに入るように摺動可能に前進させられることを可能にするように構成される曲線下部表面を備え、
前記カニューレハンドルの前記曲線下部表面は、前記湾曲スタイレットの前記予成形湾曲遠位端のアールに実質的に一致するアールを備える、
請求項６に記載のシステム。
【請求項８】
前記湾曲カニューレは、ねじ切りされた部分の回りに螺合する止めナットを備え、前記ねじ切りされた部分は、前記カニューレハンドルの遠位でかつ前記直線状近位本体の近位にあり、
前記止めナットは、前記ねじ切りされた部分上に第１の位置を有するように構成され、前記止めナットは、前記導入器内での前記湾曲カニューレの前進を抑制するように構成され、それにより、前記止めナットが前記第１の位置にあるとき、前記カニューレの前記湾曲遠位端は、前記導入器の前記遠位端を通り過ぎて延在しない、
請求項６に記載のシステム。
【請求項９】
骨の内部に経路を形成するシステムであって、
近位端、遠位端及び中央チャネルを備える導入器であって、
前記中央チャネルは、該導入器の中心軸に沿って配設され、前記近位端から前記遠位端に向かって延在し、
該導入器は、該導入器の前記遠位端にあるか又は該遠位端の近くにある遠位開口部を備え、該遠位開口部は前記中央チャネルと連通状態にある、
導入器と、
前記中央チャネル内に受け入れられ、前記近位端から前記遠位開口部に向けて送達されるサイズに作られた湾曲カニューレであって、
該湾曲カニューレは、近位端にある直線状管状本体及び湾曲遠位端を備え、
前記湾曲遠位端は、前記導入器から離れるように延在する湾曲経路内で前記遠位開口部から延在するように構成され、
該湾曲カニューレは、中央通路であって、処置デバイス又は診断デバイスが該中央通路を通って前記湾曲経路を越えた位置に送達されることを可能にするように構成される直径を有する中央通路を備える、
湾曲カニューレと、
を備え、
前記導入器の前記近位端は、ハンドルを備え、
該ハンドルは、
近位リセスであって、
該近位リセスは、前記中央チャネル内での前記湾曲カニューレの往復動を可能にするように前記中央チャネルと連通状態にある、
近位リセスと、
前記近位リセスと連通状態にある横スロットであって、前記ハンドルの近位表面において前記近位リセスから半径方向外向きに延在し、
該横スロットは、前記湾曲カニューレの挿入を可能にするように構成され、それにより、前記湾曲カニューレの前記湾曲遠位端が前記近位リセスに挿入されると、前記直線状管状本体の中心軸が前記導入器の前記中心軸に対して或る角度になる、
横スロットと、
を備える、
骨の内部に経路を形成するシステム。
【請求項１０】
前記湾曲カニューレの前記遠位端は、前記導入器を通して直線状構成で送達され、前記中心軸に対して或る角度で前記遠位開口部から外向きに湾曲構成で展開されるように変形可能である、
請求項９に記載のシステム。
【請求項１１】
前記横スロットは、前記湾曲カニューレを直線化することなく、前記湾曲カニューレの前記湾曲遠位端が前記近位リセス及び前記中央チャネルに入るように摺動可能に前進させられることを可能にするように構成される曲線下部表面を備える、
請求項９に記載のシステム。
【請求項１２】
前記曲線下部表面は、前記湾曲カニューレの前記湾曲遠位端のアールに実質的に一致するアールを備え、該アールを備えることにより、前記湾曲遠位端が前記近位リセス及び前記中央チャネル内を前進させられる間に、前記湾曲遠位端に沿って負荷を均等に分布することを促進する、
請求項１１に記載のシステム。
【請求項１３】
直線状近位本体及び予成形湾曲遠位端を備える湾曲スタイレットを更に備え、
前記湾曲カニューレは、前記位置への処置デバイスの送達を可能にするように構成されるカニューレチャネルを備える、
請求項９から１２のいずれか１項に記載のシステム。
【請求項１４】
前記湾曲スタイレットは、弾性金属合金の内側コアとポリマーの外側チューブとを備え、
前記湾曲スタイレットの外径は、該湾曲スタイレットの全長に沿って一定であり、これによって、前記湾曲スタイレットは、前記湾曲カニューレの全長に沿って内径に一致することが可能になっている、
請求項１３に記載のシステム。
【請求項１５】
前記湾曲カニューレの前記近位端はカニューレハンドルを備え、
該カニューレハンドルは、
中央リセスであって、
該中央リセスは、前記カニューレチャネル内での前記湾曲スタイレットの往復動を可能にするように前記カニューレチャネルと連通状態にある、
中央リセスと、
前記中央リセスと連通状態にある横カニューレスロットであって、前記カニューレハンドルの近位表面において前記中央リセスから半径方向外向きに延在し、
該横カニューレスロットは、前記湾曲スタイレットの挿入を可能にするように構成され、それにより、前記湾曲スタイレットの前記予成形湾曲遠位端が前記中央リセスに挿入されると、前記直線状近位本体の中心軸が前記カニューレチャネルの中心軸に対して或る角度になる、
横カニューレスロットと、
を備える、
請求項１３又は１４に記載のシステム。
【請求項１６】
前記横カニューレスロットは、前記湾曲スタイレットの前記予成形湾曲遠位端が前記中央リセス及び前記カニューレチャネルに入るように摺動可能に前進させられることを可能にするように構成される曲線下部表面を備え、
前記カニューレハンドルの前記曲線下部表面は、前記湾曲スタイレットの前記予成形湾曲遠位端のアールに実質的に一致するアールを備える、
請求項１５に記載のシステム。
【請求項１７】
前記湾曲カニューレは、ねじ切りされた部分の回りに螺合する止めナットを備え、前記ねじ切りされた部分は、前記カニューレハンドルの遠位でかつ前記直線状近位本体の近位にあり、
前記止めナットは、前記ねじ切りされた部分上に第１の位置を有するように構成され、前記止めナットは、前記導入器内での前記湾曲カニューレの前進を抑制するように構成され、それにより、前記止めナットが前記第１の位置にあるとき、前記カニューレの前記湾曲遠位端は、前記導入器の前記遠位端を通り過ぎて延在しない、
請求項１５又は１６に記載のシステム。
【請求項１８】
前記処置デバイス又は診断デバイスを更に備える、
請求項９から１７のいずれか１項に記載のシステム。
【請求項１９】
前記処置デバイスは、使用時に骨内の神経を除神経するのに充分なエネルギーを送達するよう適合された無線周波数エネルギーの送達プローブを備える、
請求項１８に記載のシステム。
【請求項２０】
前記湾曲カニューレの前記湾曲遠位端は、形状記憶材料で形成される、
請求項９から１９のいずれか１項に記載のシステム。
【請求項２１】
前記導入器のハンドル及び前記カニューレハンドルは、使用時の位置合わせ用に適合された対応の印を備える、
請求項１５に記載のシステム。
【請求項２２】
前記湾曲スタイレットの遠位端は、丸みを帯びている又は鈍らせられている、
請求項１３から１６のいずれか１項に記載のシステム。
【請求項２３】
骨の内部に経路を形成するシステムであって、
近位端、遠位端及び中央チャネルを備える導入器であって、
前記中央チャネルは、該導入器の中心軸に沿って配設され、前記近位端から前記遠位端に向かって延在し、
該導入器は、該導入器の前記遠位端にあるか又は該遠位端の近くにある遠位開口部を備え、該遠位開口部は前記中央チャネルと連通状態にある、
導入器と、
前記中央チャネル内に受け入れられ、前記近位端から前記遠位開口部に向けて送達されるサイズに作られた湾曲カニューレであって、
該湾曲カニューレは、近位端にある直線状管状本体及び湾曲遠位端を備え、
前記湾曲遠位端は、前記導入器から離れるように延在する湾曲経路内で前記遠位開口部から延在するように構成された、
湾曲カニューレと、
を備え、
前記導入器の前記近位端は、ハンドルを備え、
該ハンドルは、
近位リセスであって、
該近位リセスは、前記中央チャネル内での前記湾曲カニューレの往復動を可能にするように前記中央チャネルと連通状態にある、
近位リセスと、
前記近位リセスと連通状態にある横スロットであって、前記ハンドルの近位表面において前記近位リセスから半径方向外向きに延在し、
該横スロットは、前記湾曲カニューレの挿入を可能にするように構成され、それにより、前記湾曲カニューレの前記湾曲遠位端が前記近位リセスに挿入されると、前記直線状管状本体の中心軸が前記導入器の前記中心軸に対して或る角度になる、
横スロットと、
を備える、
骨の内部に経路を形成するシステム。
【請求項２４】
前記湾曲カニューレの前記遠位端は、前記導入器を通して直線状構成で送達され、前記中心軸に対して或る角度で前記遠位開口部から外向きに湾曲構成で展開されるように変形可能である、
請求項２３に記載のシステム。
【請求項２５】
前記横スロットは、前記湾曲カニューレの前記湾曲遠位端が前記近位リセス及び前記中央チャネルに入るように摺動可能に前進させられることを可能にするように構成される曲線下部表面を備える、
請求項２３に記載のシステム。
【請求項２６】
前記曲線下部表面は、前記湾曲カニューレの前記湾曲遠位端のアールに実質的に一致するアールを備える、
請求項２５に記載のシステム。
【請求項２７】
直線状近位本体及び予成形湾曲遠位端を備える湾曲スタイレットを更に備え、
前記湾曲カニューレは、前記湾曲経路を超えた骨内の位置への処置デバイスの送達を可能にするように構成されるカニューレチャネルを備える、
請求項２３に記載のシステム。
【請求項２８】
前記湾曲カニューレの前記近位端はカニューレハンドルを備え、
該カニューレハンドルは、
中央リセスであって、
該中央リセスは、前記カニューレチャネル内での前記湾曲スタイレットの往復動を可能にするように前記カニューレチャネルと連通状態にある、
中央リセスと、
前記中央リセスと連通状態にある横カニューレスロットであって、前記カニューレハンドルの近位表面において前記中央リセスから半径方向外向きに延在し、
該横カニューレスロットは、前記湾曲スタイレットの挿入を可能にするように構成され、それにより、前記湾曲スタイレットの前記予成形湾曲遠位端が前記中央リセスに挿入されると、前記直線状近位本体の中心軸が前記カニューレチャネルの中心軸に対して或る角度になる、
横カニューレスロットと、
を備える、
請求項２７に記載のシステム。
【請求項２９】
前記横カニューレスロットは、前記湾曲スタイレットの前記予成形湾曲遠位端が前記中央リセス及び前記カニューレチャネルに入るように摺動可能に前進させられることを可能にするように構成される曲線下部表面を備え、
前記カニューレハンドルの前記曲線下部表面は、前記湾曲スタイレットの前記予成形湾曲遠位端のアールに実質的に一致するアールを備える、
請求項２８に記載のシステム。
【請求項３０】
前記湾曲カニューレは、ねじ切りされた部分の回りに螺合する止めナットを備え、前記ねじ切りされた部分は、前記カニューレハンドルの遠位でかつ前記直線状近位本体の近位にあり、
前記止めナットは、前記ねじ切りされた部分上に第１の位置を有するように構成され、前記止めナットは、前記導入器内での前記湾曲カニューレの前進を抑制するように構成され、それにより、前記止めナットが前記第１の位置にあるとき、前記カニューレの前記湾曲遠位端は、前記導入器の前記遠位端を通り過ぎて延在しない、
請求項２９に記載のシステム。